(57)【要約】      （修正有）【課題】構造が簡単であり、基板に実装されたＨＤＭＩコネクタにケーブルを接続した状態で様々なストレスがかかっても、このストレスに対して強くすることができ、クラックや断線が生じる虞がないＨＤＭＩコネクタの取付構造を提供する。【解決手段】後端に設けられた信号線５が基板３に半田付けで取り付けられると共に脚部２、２が基板３に挿入されることにより基板３の端部に実装されたＨＤＭＩコネクタ１にフランジ６を設け、このフランジ６をシャーシ７に取付固定するようにしたＨＤＭＩコネクタの取付構造において、フランジ６はＨＤＭＩコネクタ１の先端に下向きに設けられ、このフランジ６がシャーシ７にビス８で取付固定され、更に、フランジ６の根元部分に突起部６ａが設けられ、この突起部６ａは基板３の先端の表面に当接している。【選択図】図３
2008130333.tif 000002
【特許請求の範囲】
【請求項１】
後端に設けられた信号線が基板に半田付けで取り付けられると共に脚部が基板に挿入されることにより基板の端部に実装されたＨＤＭＩコネクタにフランジを設け、このフランジをシャーシに取付固定するようにしたＨＤＭＩコネクタの取付構造において、前記フランジは前記ＨＤＭＩコネクタの先端に下向きに設けられ、このフランジが前記シャーシにビス止めにより取付固定され、更に、前記フランジの根元部分に突起部が設けられ、この突起部は前記基板の先端の表面に当接していることを特徴とするＨＤＭＩコネクタの取付構造。
【請求項２】
後端に設けられた信号線が基板に半田付けで取り付けられると共に脚部が基板に挿入されることにより基板の端部に実装されたＨＤＭＩコネクタにフランジを設け、このフランジをシャーシに取付固定するようにしたＨＤＭＩコネクタの取付構造において、前記フランジは前記ＨＤＭＩコネクタの先端に下向きあるいは上下向きに設けられ、前記フランジが前記シャーシにビス止めにより取付固定されていることを特徴とするＨＤＭＩコネクタの取付構造。
【請求項３】
前記基板には、その端部に前記ＨＤＭＩコネクタのフランジが嵌まり込む凹部が形成され、前記ＨＤＭＩコネクタのフランジが前記シャーシに取り付けられる際に、前記シャーシの内側面と前記基板の端部が面一に接触するようにした請求項２に記載のＨＤＭＩコネクタの取付構造。
【発明の詳細な説明】
【技術分野】
【０００１】
本発明は、基板の端部に実装されたＨＤＭＩコネクタにフランジを設け、このフランジをシャーシに取付固定するようにしたＨＤＭＩコネクタの取付構造に関するものである。
【背景技術】
【０００２】
従来のＨＤＭＩコネクタの取付構造は、例えば、図５（ａ）に示すように、ＨＤＭＩコネクタ１０１の脚部１０２、１０２が基板１０３に挿入されて基板１０３の裏側で半田１０４で固定されていることにより、ＨＤＭＩコネクタ１０１が基板１０３の端部に実装され、その端子である信号線１０４が基板１０３の表面に半田付けで固定されている。また、ＨＤＭＩコネクタ１０１の先端のフランジ１０５は上向きに設けられ、このフランジ１０５がシャーシ１０６にビス１０７によって取付固定されている。ところが、ケーブル１０８をＨＤＭＩコネクタ１０１に挿入するときに無理な力がかかったり、ケーブル１０８として使用される高級ケーブルにありがちな重量級のケーブル１０８を使用しているために、ＨＤＭＩコネクタ１０１に絶えずストレスがかかることもあり、更に、ラックに製品を収納した際に、裏で何かに当たっている場合がある。特に、上からの無理なストレスがかかると、ＨＤＭＩコネクタ１０１の信号線１０４と基板１０３のパターンとの半田付け部分に、図５（ｂ）に示すように、クラックが発生し、最悪な事態では断線する虞があるという問題があった。
【０００３】
第１の従来技術を図６に示す。この従来の機器用コネクタ装置は、図６に示すように、中継端子２４０が装着された中継コネクタ２３０を備え、これは、ケーシング２１１の一側面２１１Ａに開口された取付孔２１８の当接される取付板２３２の表面側に、相手側コネクタと嵌合される外コネクタ部２３３が、裏面側にＰＣＢコネクタ２２０と嵌合される内コネクタ部２３４とが形成される。ＰＣＢコネクタ２２０を取着したプリント配線基板２１０がケーシング２１１内に挿入され、ＰＣＢコネクタ２２０が取付孔２１８の内側に配される。中継コネクタ２３０の内コネクタ部２３４が取付孔２１８を通してケーシング２１１内に挿入され、内コネクタ部２３４がＰＣＢコネクタ２２０のフード部２２２内に嵌合される。取付板２３２がケーシング２１１の側面２１１Ａに対してボルト２５２を締め付けて固定され、外コネクタ部２３３が側面２１１Ａから外方に突出した状態となる。（例えば、特許文献１参照）。
【０００４】
ところが、これは、プリント配線基板２１０の上下にフランジを設けたものではなく、別部品を付けて強度を強くしているものであった。また、部品点数が多く、構造が複雑であるという問題があった。
【特許文献１】特開２００３−３１３２３号公報
【発明の開示】
【発明が解決しようとする課題】
【０００５】
本発明は、上記従来の問題に鑑みてなされたものであって、構造が簡単であり、基板に実装されたＨＤＭＩコネクタにケーブルを接続した状態で様々なストレスがかかっても、このストレスに対して強くすることができ、クラックや断線が生じる虞がないＨＤＭＩコネクタの取付構造を提供することを目的としている。
【課題を解決するための手段】
【０００６】
本発明は、上記課題を解決するために提案されたものであって、請求項１に記載の発明は、後端に設けられた信号線が基板に半田付けで取り付けられると共に脚部が基板に挿入されることにより基板の端部に実装されたＨＤＭＩコネクタにフランジを設け、このフランジをシャーシに取付固定するようにしたＨＤＭＩコネクタの取付構造において、前記フランジは前記ＨＤＭＩコネクタの先端に下向きに設けられ、このフランジが前記シャーシにビス止めにより取付固定され、更に、前記フランジの根元部分に突起部が設けられ、この突起部は前記基板の先端の表面に当接していることを特徴としている。
【０００７】
請求項２に記載の発明は、後端に設けられた信号線が基板に半田付けで取り付けられると共に脚部が基板に挿入されることにより基板の端部に実装されたＨＤＭＩコネクタにフランジを設け、このフランジをシャーシに取付固定するようにしたＨＤＭＩコネクタの取付構造において、前記フランジは前記ＨＤＭＩコネクタの先端に下向きあるいは上下向きに設けられ、前記フランジが前記シャーシにビス止めにより取付固定されていることを特徴としている。
【０００８】
請求項３に記載の発明は、請求項２に記載の発明において、前記基板には、その端部に前記ＨＤＭＩコネクタのフランジが嵌まり込む凹部が形成され、前記ＨＤＭＩコネクタのフランジが前記シャーシに取り付けられる際に、前記シャーシの内側面と前記基板の端部が面一に接触するようにした。
【発明の効果】
【０００９】
請求項１に記載の発明によれば、ＨＤＭＩコネクタのフランジを下向きに設けたから、このフランジのビス止め部分とＨＤＭＩコネクタの脚部の取り付け箇所である支点との距離が小さくなるために、ＨＤＭＩコネクタの先端に上からの無理なストレスがかかってもストレスに対する強度を強くすることができ、クラックや断線が生じる虞がない。更に、フランジの根元部分に設けた突起部が基板の先端の表面に当接しているから、ストレスをこの突起部によって軽減することができ、より一層ストレスに対して強くすることができる。
【００１０】
請求項２に記載の発明によれば、ＨＤＭＩコネクタのフランジを下向きあるいは上下向きに設けたから、上からの無理なストレスがかかってもストレスに対する強度を強くすることができ、クラックや断線が生じる虞がない。
【００１１】
請求項３に記載の発明によれば、基板に設けられた凹部にＨＤＭＩコネクタのフランジが嵌まり込み、シャーシの内側面と基板の端部が面一に接触するから、基板とシャーシの取り付け状態を安定した状態とすることができる。
【発明を実施するための最良の形態】
【００１２】
以下、本発明に係るＨＤＭＩコネクタの取付構造の実施の形態について、図を参照しつつ説明する。
【００１３】
図１は本発明の第１実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図、図２は基板にＨＤＭＩコネクタのフランジが嵌まり込むための凹部を設けた状態の部分平面図である。
【００１４】
この第１実施形態のＨＤＭＩコネクタは、図１（ａ）に示すように、ＨＤＭＩコネクタ１の脚部２、２が基板３の貫通孔３ａ、３ａに挿入されて基板３の裏側で半田４、４で固定されている。更に、ＨＤＭＩコネクタ１の端子である信号線５が基板３の表面に半田付けで固定されている。また、ＨＤＭＩコネクタ１の先端にフランジ６が下向きに設けられ、このフランジ６がシャーシ７にビス８で取付固定されている。また、図２に示すように、基板３の端部にＨＤＭＩコネクタ１のフランジ６が嵌まり込む凹部３ｂが形成されている。基板３は端部の略中央部分に突出板部３ｃが形成され、この突出板部３ｃにＨＤＭＩコネクタ１が実装されるようになっている。この突出板部３ｃの両側の空隙部分には、下側に配置されたメイン基板９に実装された背の高い光ジャック１０や他の出力端子１１が配置されるようになっている。
【００１５】
従って、この第１実施形態によれば、ＨＤＭＩコネクタ１のフランジ６を下向きに設けたから、このフランジ６のビス止め部分とＨＤＭＩコネクタ１の奥側の脚部２の取り付け箇所である支点との距離が小さくなるために、図１（ｂ）に示すように、ＨＤＭＩコネクタ１にケーブル１２を挿入するとき等にＨＤＭＩコネクタ１の先端に上からの無理なストレスがかかってもストレスに対する強度を強くすることができ、信号線５が基板３の表面から外れたり、クラックや断線が生じる虞がない。また、基板３に設けられた凹部３ｂにＨＤＭＩコネクタ１のフランジ６が嵌まり込み、シャーシ７の内側面と基板３の端部が面一に接触するから、基板３とシャーシ７の取り付け状態を安定した状態とすることができる。
【００１６】
図３は第２実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図である。尚、上記した第１実施形態と同一部材、同一箇所には同一符号を付して、その説明を省略する。
【００１７】
この第２実施形態のＨＤＭＩコネクタの取付構造は、図３（ａ）に示すように、ＨＤＭＩコネクタ１のフランジ６の根元部分に突起部６ａが設けられ、この突起部６ａが基板３の先端の表面に当接している。従って、この第２実施形態によれば、フランジ６の根元部分に設けた突起部６ａが基板３の先端の表面に当接しているから、ストレスをこの突起部６ａによって軽減することができ、より一層ストレスに対して強くすることができる。
【００１８】
図４は第３実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図である。
【００１９】
この第３実施形態のＨＤＭＩコネクタの取付構造は、図４（ａ）に示すように、ＨＤＭＩコネクタ１の端部の上下向きにフランジ６、６Ａが設けられ、これらのフランジ６、６Ａがシャーシ７にビス８で取付固定されている。この第２実施形態によれば、ＨＤＭＩコネクタ１の端部の上下向きにフランジ６、６Ａが設けられてこれらのフランジ６、６Ａがシャーシ７にビス止めで取付固定されているから、ＨＤＭＩコネクタ１とシャーシ７との取付強度をさらにアップすることができ、基板３にクラックや断線が生じることを防ぐことができる。
【図面の簡単な説明】
【００２０】
【図１】本発明の第１実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図である。
【図２】基板にＨＤＭＩコネクタのフランジが嵌まり込むための凹部を設けた状態の部分平面図である。
【図３】第２実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図である。
【図４】第３実施形態のＨＤＭＩコネクタの取付構造を示し、（ａ）はＨＤＭＩコネクタにケーブルを接続する前の状態を示す縦断面図、（ｂ）はＨＤＭＩコネクタにケーブルを接続した状態の縦断面図である。
【図５】従来のＨＤＭＩコネクタの接続構造を示し、（ａ）はＨＤＭＩコネクタにケーブルを接続する前の状態を示す断面図、（ｂ）はＨＤＭＩコネクタにケーブルを接続した状態を示し、上側からストレスがかかって基板にクラックが生じているときの断面図である。
【図６】従来の機器用コネクタ装置の分解斜視図である。
【符号の説明】
【００２１】
１      ＨＤＭＩコネクタ
２      脚部
３      基板
３ａ    貫通孔
３ｂ    凹部
３ｃ    突出板部
４      半田
５      信号線
６      フランジ
６Ａ    フランジ
６ａ    突起部
７      シャーシ
８      ビス
９      メイン基板
１０    光ジャック
１１    他の出力端子
【図１】
2008130333.tif 000003
【図２】
2008130333.tif 000004
【図３】
2008130333.tif 000005
【図４】
2008130333.tif 000006
【図５】
2008130333.tif 000007
【図６】
2008130333.tif 000008